(57)【要約】      （修正有）【課題】必要な場合には容器等に引っ掛けることができ、容器等に取り付けない場合には邪魔にならない引っ掛け部を有する散水ノズルを提供する。【解決手段】水源から水を供給する給水ホース１１が接続され使用者が把持するハンドル部２０と、水を放出する放水部３０とからなる。ハンドル部２０には、放水部３０からの放水を開始・停止する放水スイッチ２３とハンドル部２０に収納可能なフック４０を有する。【選択図】図２
0003164830.tif 000002
【実用新案登録請求の範囲】
【請求項１】
水源から水を供給する給水ホースが接続され使用者が把持するハンドル部と、
前記ハンドル部に連続し、水を放出する放水部と、を有し、
前記ハンドル部には前記放水部からの放水を開始・停止する放水スイッチを有する散水ノズルであって、
前記散水ノズルを引っ掛けるフックを出没可能に設けたことを特徴とする散水ノズル。
【請求項２】
前記フックが、前記ハンドル部に収納可能であることを特徴とする請求項１に記載の散水ノズル。
【請求項３】
前記フックが、前記ハンドル部に沿って移動する支持部と、前記支持部の端部に設けられた屈曲部から屈曲した引っ掛け部とを有し、
前記引っ掛け部の外形が、前記ハンドル部に収納した状態で当該ハンドル部の外形の一部を構成することを特徴とする請求項１または請求項２に記載の散水ノズル。
【請求項４】
前記フックが、前記ハンドル部に沿って移動する支持部と、前記支持部の端部に設けられた屈曲部から屈曲した引っ掛け部とを有し、
前記屈曲部の外側面が、前記ハンドル部の表面から露出するとともに円弧状であることを特徴とする請求項１または請求項２に記載の散水ノズル。
【請求項５】
前記フックが、前記ハンドル部に対して複数位置で停止可能であることを特徴とする請求項１乃至４に記載の散水ノズル。
【考案の詳細な説明】
【技術分野】
【０００１】
本考案は、水道等の水源に接続されたホースの先端に取り付けて、水源から供給される水を種々の放水形態で散水するための散水ノズルに関するものである。
【０００２】
従来より、水道等の水源に接続されたホースの先端に取り付けて、水源から供給される水をジョロ、拡散、直水等、種々の放水形態で散水するための散水ノズルが用いられている。
【０００３】
このような散水ノズルを用いて散水する際に、バケツ等の容器に水を貯める場合がある。このような場合に、容器に水が溜まるまである程度の時間を要するため、使用者が散水ノズルを持ち続けるのは，時間および労力の無駄である。
【０００４】
また、散水ノズルから放水するようにロックした状態で、例えば蛇口の操作のために散水ノズルから離れる場合がある。この場合、水を垂れ流すことは、省エネの観点および水浸しになるのを防止する観点から避けるのが望ましい。
そこで、容器に引っ掛けることができる散水ノズルが提案されている（例えば、特許文献１参照）。
【０００５】
図９に示すように、特許文献１に記載の散水ノズル１００は、上体部１０１とハンドル部１０２とからなり、ハンドル部１０２に散水ノズル固定用フランジ１０３を有する。
従って、上体部１０１と散水ノズル固定用フランジ１０３との間に形成される空間Ｓに、容器１０４の縁部１０５を差し入れることにより、放水口１０６を容器１０４の内部に向けた状態で、容器に取り付けることができる。
なお、散水ノズル固定用フランジ１０３は、散水ノズル１００と一体的あるいは取り外し可能となっている。
【先行技術文献】
【特許文献】
【０００６】
【特許文献１】実用登録第３１３３２６４号公報（第１図）
【考案の概要】
【考案が解決しようとする課題】
【０００７】
しかしながら、前述したような散水ノズル１００においては、散水ノズル固定用フランジ１０３を一体的に設けると、散水ノズル固定用フランジ１０３の不使用時には邪魔になる。また、取り外し可能にすると、不使用時に取り外した散水ノズル固定用フランジ１０３を紛失したり、取付作業が必要となり面倒である。
【０００８】
そこで、本考案は、上記問題点に鑑みなされたものであって、必要な場合には容器等に引っ掛けることができ、容器等に引っ掛けない場合には邪魔にならないフックを有する散水ノズルを提供するものである。
【課題を解決するための手段】
【０００９】
前記課題を解決するために、本考案である散水ノズルは、水源から水を供給する給水ホースが接続され使用者が把持するハンドル部と、前記ハンドル部に連続し、水を放出する放水部と、を有し、前記ハンドル部には前記放水部からの放水を開始・停止する放水スイッチを有する散水ノズルであって、前記散水ノズルを引っ掛けるフックを出没可能に設けた構成を有している。
【００１０】
この構成により、散水ノズルは、水源から水を供給する給水ホースに取り付けられており、使用者はハンドル部を把持して放水スイッチを操作し、ハンドル部に連続する放水部から放水する。散水ノズルには、フックが出没可能に設けられているので、放水時等散水ノズルの使用時にはフックを収納することにより、邪魔にならずに放水できる。また、フックを出した状態では、散水ノズルを容器等に容易に引っ掛けることができる。
【００１１】
また、本考案である散水ノズルは、前記フックが、前記ハンドル部に収納可能である構成を有している。
【００１２】
この構成により、フックは、散水ノズルを容器等に引っ掛けるために使用しないときはハンドル部に収納できるので、邪魔にならない。
【００１３】
また、本考案である散水ノズルは、前記フックが、前記ハンドル部に沿って移動する支持部と、前記支持部の端部に設けられた屈曲部から屈曲した引っ掛け部とを有し、前記引っ掛け部の外形が、前記ハンドル部に収納した状態で当該ハンドル部の外形の一部を構成する構成を有している。
【００１４】
この構成により、フックの先端の引っ掛け部の外形が、ハンドル部に収納した状態ではハンドル部の外形の一部を構成するので、収納状態における外観を損ねないし、邪魔にならない。また、フックの引っ掛け部がハンドル部の表面に露出するので、容易にフックを引き出すことができる。
【００１５】
また、本考案である散水ノズルは、前記フックが、前記ハンドル部に沿って移動する支持部と、前記支持部の端部に設けられた屈曲部から屈曲した引っ掛け部とを有し、前記屈曲部の外側面が、前記ハンドル部の表面から露出するとともに円弧状である構成を有している。
【００１６】
この構成により、フックは、ハンドル部に沿って移動する支持部と、支持部の端部に設けられた屈曲部から屈曲した引っ掛け部とを有しており、屈曲部の外側面が、ハンドル部の表面から露出するとともに屈曲部の外側面が円弧状であるので、フックを容易に押し出すことができる。
【００１７】
さらに、本考案である散水ノズルは、前記フックが、前記ハンドル部に対して複数位置で停止可能である構成を有している。
【００１８】
この構成により、フックが、ハンドル部に対して複数位置で停止可能であるので、引っ掛ける容器等の大きさや形状に対応してフックの位置を調整でき、確実に容器等に引っ掛けることができる。
【考案の効果】
【００１９】
本考案の散水ノズルによれば、フックが出没可能に設けられているので、放水時にはフックを収納することにより、邪魔にならずに放水できる。また、フックを出した状態では、散水ノズルを容器等に容易に引っ掛けることができる。
【図面の簡単な説明】
【００２０】
【図１】本考案の散水ノズルを把持した状態の斜視図である。
【図２】本考案の散水ノズルを容器に引っ掛けた状態の斜視図である。
【図３】ハンドル部の頂部を上方から見た斜視図である。
【図４】ハンドル部の内部の斜視図である。
【図５】（Ａ）はフックを外側から見た斜視図であり、（Ｂ）は内側から見た斜視図である。
【図６】フックを収納した状態を示す散水ノズルの斜視図である。
【図７】フックを１段引き出した状態を示す散水ノズルの斜視図である。
【図８】（Ａ）〜（Ｅ）はフックの出し入れ動作を示す説明図である。
【図９】従来の散水ノズルの使用状態を示す側面図である。
【考案を実施するための形態】
【００２１】
以下、図面を参照して本考案について詳細に説明する。
図１に示すように、本考案に係る実施形態の散水ノズル１０は、例えば水道等の水源（図示省略）から水を供給する給水ホース１１が接続され使用者Ｍが把持するハンドル部２０と、このハンドル部２０に連続し、水を放出する放水部３０とを有する。
【００２２】
図２に示すように、ハンドル部２０は、一方（図２において下方）が開口した箱状の把持部２１を有し、内部空間には給水ホース１１に接続される給水パイプ（図示省略）が設けられている。把持部２１の開口には、放水スイッチ２３が出没可能に設けられており、常時、スプリングのような弾性部材により突出する方向へ付勢されている。放水スイッチ２３は、把持部２１から突出した状態では給水ホース１１からの水の供給は停止し、放水スイッチ２３を握って把持部２１の内部に押し込むことにより、水が放水部３０に供給されて放水を開始する。放水スイッチ２３には、把持部２１の内部に押し込んだ給水状態でロックするためのロック装置（図示省略）が設けられている。
【００２３】
なお、ハンドル部２０は、ハンドル部２０に対して回転可能に設けられている接続部２２を介して給水ホース１１に接続されている。このため、散水ノズル１０は、給水ホース１１に対して回転可能となっている。
【００２４】
図１に示すように、放水部３０の先端には、例えば放水口３１が回転可能に取り付けられている。放水口３１を回転させることにより、ジョロ、拡散、直水等の種々の放水形態を選択することができる。
【００２５】
図１および図２に示すように、ハンドル部２０には、フック４０が出没可能に設けられており、給水状態にロックされた散水ノズル１０をバケツ等の容器１２に引っ掛けて、使用者Ｍが手を放しても容器１２に給水できるようになっている。
【００２６】
図３に示すように、ハンドル部２０の頂部２４から後頭部２６を経て把持部２１の上部にかけて、フック４０を収容できる開口部２４１、２６１、２１３が連続して設けられており（図７参照）、内部にはフック４０の下降を規制する一対のストッパ２４２、２４２が設けられている。
【００２７】
図４に示すように、ハンドル部２０の内部には、フック４０の上下移動をガイドする一対のガイド部材２５、２５が把持部２１の長手方向に沿って設けられており、ガイド部材２５の内側面には、所定間隔でストッパ凹部２５１が設けられている。
【００２８】
また、把持部２１の内面２１１には、対を成す係止突起２１２が把持部２１の長手方向に沿って所定間隔で設けられている。係止突起２１２は、最下段の係止突起２１２Ａ、中段の係止突起２１２Ｂ、上段の係止突起２１２Ｃを有する。前述したガイド部材２５のストッパ凹部２５１も、係止突起２１２Ａ，２１２Ｂ，２１２Ｃの間隔に対応した間隔で設けられている。
なお、ここでは、３段の係止突起２１２およびストッパ凹部２５１を示したが、段数は任意である。
【００２９】
図５に示すように、フック４０は、ハンドル部２０の内部に沿って長手方向に移動する支持部４１と、この支持部４１の端部（図５においては上端）に設けられた屈曲部４２から屈曲した引っ掛け部４３とを有する。引っ掛け部４３の外形は、ハンドル部２０に収納した状態でハンドル部２０の外形の一部を構成するように、同じ形状となっている。屈曲部４２の外側面４２１は、ハンドル部２０の表面から露出するようにし、円弧状とするのが望ましい。
【００３０】
支持部４１には、先端（図５においては下端）に第１鉤部４１１を有する第１係止部材４１２を一対有する。第１係止部材４１２は、支持部４１の外側面よりも一段内側に設けられている。第１鉤部４１１は、下方に向かって尖るように傾斜面４１１Ａが設けられており、第１鉤部４１１の上端は略水平な第１係止部４１３を有する。第１係止部材４１２は、下端である第１鉤部４１１側が外側（図５中矢印Ａ方向）へ若干広がっており、第１係止部材４１２を係止突起２１２に押し付けている。
なお、第１係止部材４１２は、内向きの外力を作用させることにより、内側（図５中矢印Ｂ方向）へ弾性変形可能となっている。
【００３１】
また、支持部４１の内側には、同様に、下端に第２鉤部４１４を有する第２係止部材４１５を一対有する。第２鉤部４１５は、下方に向かって尖っており、第２鉤部４１４の上端は略水平な第２係止部４１６を有する。第２係止部材４１５は、下端である第２鉤部４１４側が外側へ若干広がっており、内向きの外力を作用させることにより、内側へ弾性変形可能となっている。
【００３２】
図６に示すように、フック４０をハンドル部２０の内部に完全に収納すると、第１係止部材４１２の下端の第１鉤部４１１が、最下段の係止突起２１２Ａに係止され、不用意に飛び出さないようになっている。この状態では、引っ掛け部４３は開口部２４１に収容され、屈曲部４２は開口部２６１に収容され、支持部４１は開口部２１３に収容されており、引っ掛け部４３および屈曲部４２および支持部４１の外形が、ハンドル部２０の外形の一部を構成するため、フック４０は突出せずに完全に収納され、且つ、外側に露出している。なお、第１係止部材４１２はハンドル部２０の内部に収容されている。
【００３３】
第１係止部材４１２を内側に変形させて係止突起２１２Ａを乗り越えて、図７に示すように、フック４０を１段引き出すと、第１係止部材４１２の下端の第１鉤部４１１が、中段の係止突起２１２Ｂに係止される。この状態で、引っ掛け部４３が頂部２４の上方に突出し、頂部２４と引っ掛け部４３との間に隙間Ｓが形成されるので、図２に示したように、容器１２等に引っ掛けることができる。
【００３４】
このとき、第２鉤部４１４の第２係止部４１６が、ガイド部材２５のストッパ凹部２５１に嵌合するためクリック感があり、第１係止部材４１２の下端の第１鉤部４１１が、係止突起２１２に係止されたことを確認できる。
【００３５】
なお、フック４０をハンドル部２０に収納する場合には、引っ掛け部４３をハンドル部２０に押し込むことにより、第１鉤部４１１の傾斜面４１１Ａが係止突起２１２に沿って移動するので、第１係止部材４１２が内側へ弾性変形して容易に収容できる。
【００３６】
次に、フック４０の出し入れ動作について説明する。
図８（Ａ）では、フック４０をハンドル部２０に完全に収納しており、散水ノズル１０の外側に露出しているが、突出はしていない。
次いで、図８（Ｂ）に示すようにハンドル部２０を親指Ｆ１以外の４本の指および手の平Ｈで把持し、親指Ｆ１でフック４０の屈曲部４２を下方から押し上げる。このとき、屈曲部４２はハンドル部２０の外側に突出はしていないが、後頭部２６に露出しているので、容易に押し上げることができる。
これにより、図８（Ｃ）に示すように、ハンドル部２０の頂部２４とフック４０の引っ掛け部４３との間に隙間Ｓが形成されるので、容器１２等に引っ掛けることができる。
さらに、隙間Ｓを大きく形成したいときは、親指Ｆ１でさらに屈曲部４２を押し上げることにより、図８（Ｄ）および（Ｅ）に示すように、隙間Ｓを容易に大きくできる。
【００３７】
以上、説明した本考案に係る実施形態の散水ノズル１０によれば、フック４０が出没可能に設けられているので、放水時等散水ノズル１０の使用時にはフック４０を収納することにより、邪魔にならずに放水できる。また、フック４０を出した状態では、散水ノズル１０を容器１２等に容易に引っ掛けることができる。
【００３８】
また、フック４０は、散水ノズル１０を容器１２等に引っ掛けるために使用しないときはハンドル部２０に収納できるので、邪魔にならない。
【００３９】
また、フック４０の先端の引っ掛け部４３の外形が、ハンドル部２０に収納した状態では突出することなくハンドル部２０の外形の一部を構成するので、収納状態における外観を損ねない。また、フック４０の引っ掛け部４３がハンドル部２０の表面に露出するので、容易にフックを押し出すことができる。
【００４０】
また、フック４０は、ハンドル部２０に沿って移動する支持部４１と、支持部４１の端部に設けられた屈曲部４２から屈曲した引っ掛け部４３とを有しており、屈曲部４２の外側面が、ハンドル部２０の表面から露出するとともに屈曲部４２の外側面が円弧状であるので、フック４０を容易に押し出すことができる。
【００４１】
さらに、フック４０が、ハンドル部２０に対して複数位置で停止可能であるので、引っ掛ける容器１２等の大きさや形状に対応してフック４０の位置を調整でき、確実に容器１２等に引っ掛けることができる。
【００４２】
以上、本考案の好ましい実施例について詳述したが、本考案に係る散水ノズル１０は上述した実施例に限定されるものではなく、実用新案登録請求の範囲に記載された本考案の要旨の範囲内において、種々の変形、変化が可能である。
【符号の説明】
【００４３】
１０      散水ノズル
１１      給水ホース
２０      ハンドル部
２３      放水スイッチ
３０      放水部
４０      フック
４１      支持部
４２      屈曲部
４３      引っ掛け部
Ｍ      使用者
【図１】
0003164830.tif 000003
【図２】
0003164830.tif 000004
【図３】
0003164830.tif 000005
【図４】
0003164830.tif 000006
【図５】
0003164830.tif 000007
【図６】
0003164830.tif 000008
【図７】
0003164830.tif 000009
【図８】
0003164830.tif 000010
【図９】
0003164830.tif 000011